(57)【要約】      （修正有）【課題】製造歩留まりを向上し作製コストを削減するスライダー組合せ構造及びその摺動子を提供する。【解決手段】スライダー組合せ構造Ｚは摺動子３０、フック部材４及び引張部材５を備える。摺動子３０は、ベース部３と、ベース部３の先端にそれぞれ接続される二つの側止め部３１と、ベース部３の後端に接続されるようにベース部３に設けられ、二つの側止め部３１の間に位置する貫通式位置決め開口を有する台座部３２とを備える。台座部３２は、ベース部３に設けられるメイン本体３２１と、メイン本体３２１の二つの反対側端にそれぞれ設けられる二つのテープ状のリブ３２２と、二つのテープ状のリブ３２２にそれぞれ接続される二つの凹陥空間３２３とを備える。フック部材４は台座部３２に移動可能に設けられる。フック部材４の末端には貫通式位置決め開口を移動可能に挿通する位置決め部４０を有する。引張部材５はフック部材４と移動可能に相互に係合される。【選択図】図１２
0003210057.tif 000002
【実用新案登録請求の範囲】
【請求項１】
ベース部と、前記ベース部の二つの反対側端から上方にそれぞれ延びており、相互に対応すると共に前記ベース部の先端にそれぞれ接続される二つの側止め部と、前記ベース部の後端に接続されるように前記ベース部に設けられ、二つの前記側止め部の間に位置する貫通式位置決め開口を有する台座部であって、前記ベース部の前記後端に接続されるように前記ベース部に設けられるメイン本体と、前記メイン本体の二つの反対側端にそれぞれ設けられる二つのテープ状のリブと、二つの前記テープ状のリブにそれぞれ接続される二つの凹陥空間とを備える台座部とを有する摺動子と、
前記台座部に移動可能に設けられるフック部材であって、末端には前記貫通式位置決め開口を移動可能に挿通する位置決め部を有するフック部材と、
前記フック部材と移動可能に相互に係合される引張部材とを備えることを特徴とする、スライダー組合せ構造。
【請求項２】
前記摺動子の前記ベース部の内面に微凸領域が突出され、
前記微凸領域は、前記台座部の前記メイン本体に接続されると共に、前記台座部の前記メイン本体を部分的に取り囲み、
前記台座部の二つの前記凹陥空間及び前記ベース部の前記微凸領域はいずれもＵ字型であることを特徴とする、請求項１に記載のスライダー組合せ構造。
【請求項３】
前記台座部は、前記メイン本体に設けられると共に前記ベース部と互いに分離される受け座と、
前記微凸領域と前記受け座の間に形成される二つの窪み空間と、
を備え、
二つの前記窪み空間は二つの前記凹陥空間にそれぞれ連通され、
二つの前記テープ状のリブは二つの前記窪み空間にそれぞれ完全に収容されることを特徴とする、請求項２に記載のスライダー組合せ構造。
【請求項４】
先端及び後端を有するベース部と、
前記ベース部の二つの反対側端から上方にそれぞれ延びている二つの側止め部であって、相互に対応すると共に前記ベース部の前記先端にそれぞれ接続される二つの側止め部と、
前記ベース部の前記後端に接続されるように前記ベース部に設けられる台座部と、
を備え、
前記台座部は、
前記ベース部の前記後端に接続されるように前記ベース部に設けられるメイン本体と、
前記メイン本体の二つの反対側端にそれぞれ設けられる二つのテープ状のリブと、
二つの前記テープ状のリブにそれぞれ接続されると共に、二つの前記テープ状のリブをそれぞれ部分的に取り囲む二つの凹陥空間と、
を備えることを特徴とする、摺動子。
【請求項５】
前記ベース部の内面に微凸領域が突出され、
前記微凸領域は、前記台座部の前記メイン本体に接続されると共に、前記台座部の前記メイン本体を部分的に取り囲み、
前記台座部の二つの前記凹陥空間及び前記ベース部の前記微凸領域はいずれもＵ字型であることを特徴とする、請求項４に記載の摺動子。
【請求項６】
前記台座部は、
前記メイン本体に設けられると共に前記ベース部と互いに分離される受け座と、
前記微凸領域と前記受け座の間に形成される二つの窪み空間と、
を備え、
二つの前記窪み空間は二つの前記凹陥空間にそれぞれ連通され、
二つの前記テープ状のリブは二つの前記窪み空間にそれぞれ完全に収容されることを特徴とする、請求項５に記載の摺動子。
【請求項７】
ベース部と、
前記ベース部の二つの反対側端から上方にそれぞれ延びており、相互に対応する二つの側止め部と、
前記ベース部に設けられる台座部であって、前記ベース部に設けられるメイン本体と、前記メイン本体の二つの反対側端にそれぞれ設けられる二つのテープ状のリブと、二つの前記テープ状のリブにそれぞれ接続される二つの凹陥空間とを備える台座部と、
を備えることを特徴とする、摺動子。
【請求項８】
前記ベース部の内面に微凸領域が突出され、
前記微凸領域は、前記台座部の前記メイン本体に接続されると共に、前記台座部の前記メイン本体を部分的に取り囲むことを特徴とする、請求項７に記載の摺動子。
【請求項９】
前記台座部の二つの前記凹陥空間及び前記ベース部の前記微凸領域はいずれもＵ字型であることを特徴とする、請求項８に記載の摺動子。
【請求項１０】
前記台座部は、
前記メイン本体に設けられると共に前記ベース部と互いに分離される受け座と、
前記微凸領域と前記受け座の間に形成される二つの窪み空間と、
を備え、
二つの前記窪み空間は二つの前記凹陥空間にそれぞれ連通され、
二つの前記テープ状のリブは二つの前記窪み空間にそれぞれ完全に収容されることを特徴とする、請求項８に記載の摺動子。
【考案の詳細な説明】
【考案の詳細な説明】
【０００１】
［技術分野］
本考案はスライダー組合せ構造及びその摺動子に関し、特に製造歩留まりを向上し作製コストを削減するためのスライダー組合せ構造及びその摺動子に関する。
［背景技術］
通常の服装の基本噛合エレメントはボタンやファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテーに係合されファスナー構造による往復引張りの連結エレメントとされることで、ファスナー構造を服飾及びアクセサリーに用いることがさらに普及しつつある。しかし、従来技術が提供するスライダーの摺動子の一部の外形を形成するための金型コアモジュールの構造に設計の不具合があり、金型コアモジュールの使用寿命が短縮され、作製された摺動子の不良率が向上され、作製コストが向上されることにつながる。
［考案の概要］
（考案が解決しようとする課題）
本考案の目的は、従来技術のデメリットを改善できるスライダー組合せ構造及びその摺動子を提供することにある。
（課題を解決するための手段）
上記の技術問題を解決するために、本考案に用いられる一つの技術方案はスライダー組合せ構造を提供する。スライダー組合せ構造は摺動子、フック部材及び引張部材を備える。摺動子は、ベース部と、ベース部の二つの反対側端から上方にそれぞれ延びており、相互に対応すると共にベース部の先端にそれぞれ接続される二つの側止め部と、ベース部の後端に接続されるようにベース部に設けられ、二つの側止め部の間に位置する貫通式位置決め開口を有する台座部とを備える。台座部は、ベース部の後端に接続されるようにベース部に設けられるメイン本体と、メイン本体の二つの反対側端にそれぞれ設けられる二つのテープ状のリブと、二つのテープ状のリブにそれぞれ接続される二つの凹陥空間とを備える。フック部材は台座部に移動可能に設けられる。フック部材の末端には貫通式位置決め開口を移動可能に挿通する位置決め部を有する。引張部材はフック部材と移動可能に相互に係合される。
【図面の簡単な説明】
【０００２】
【図１】図１は本考案に係る金型コアモジュールの第１の金型コア構造の一つの概略的斜視図である。
【図２】図２は本考案に係る金型コアモジュールの第１の金型コア構造の別の概略的斜視図である。
【図３】図３は本考案に係る金型コアモジュールの第２の金型コア構造の一つの概略的斜視図である。
【図４】図４は本考案に係る金型コアモジュールの第２の金型コア構造の別の概略的斜視図である。
【図５】図５は本考案に係る金型コアモジュールの第１の金型コア構造と第２の金型コア構造の概略的組合せ斜視図である。
【図６】図６は図５のＶＩ−ＶＩ断面線に沿う概略的断面図である。
【図７】図７は図５のＶＩＩ−ＶＩＩ断面線に沿う概略的断面図である。
【図８】図８は本考案に係る金型コアモジュールの第１の金型コア構造と第２の金型コア構造の概略的分解斜視図である。
【図９】図９は本考案に係る摺動子の一つの概略的側面図である。
【図１０】図１０は本考案に係る摺動子の別の概略的側面図である。
【図１１】図１１は本考案に係る摺動子の概略的背面図である。
【図１２】図１２は本考案に係るスライダー組合せ構造の概略的組合せ斜視図である。
【図１３】図１３は本考案に係るメイン本体及びテープ状のリブの外形が二つの第１の延伸部と二つの第２の延伸部により相互に係合して形成される模式図である。
【図１４】図１４は本考案に係る一実施例のメイン本体及びテープ状のリブの外形が第１の延伸部及び第２の延伸部により相互に係合して形成される模式図である。
【図１５】図１５は本考案に係る別の実施例のメイン本体及びテープ状のリブの外形が第１の延伸部及び第２の延伸部により相互に係合して形成される模式図である。
【図１６】図１６は本考案のさらに別の実施例のメイン本体及びテープ状のリブの外形が第１の延伸部及び第２の延伸部により相互に係合して形成される模式図である。
【考案を実施するための形態】
【０００３】
図１乃至図１１を参照する。本考案はスライダー組合せ構造Ｚの摺動子３の一部の外形を成形するための金型コアモジュールＭを提供する。摺動子３は、ベース部３０と、ベース部３０の二つの反対側端から上方にそれぞれ延びており、相互に対応すると共にベース部３０の先端３０１にそれぞれ接続される二つの側止め部３１と、ベース部３０の後端３０２に接続されるようにベース部３０に設けられる台座部３２とを有する。また、台座部３２は、ベース部３０の後端３０２に接続されるようにベース部３０に設けられるメイン本体３２１と、メイン本体３２１の二つの反対側端にそれぞれ設けられる二つのテープ状のリブ３２２と、二つのテープ状のリブ３２２にそれぞれ接続されると共に、二つのテープ状のリブ３２２をそれぞれ部分的に取り囲む二つの凹陥空間３２３とを備える。
【０００４】
図１乃至図８に示すように、金型コアモジュールＭは、第１の金型コア構造１と、第２の金型コア構造２とを備える。
まず、図１及び図２に示すように、第１の金型コア構造１は、第１の基体１０と、第１の基体１０から延在してくると共に互いに対応する二つの第１の側部構造体１１と、第１の基体１０から延在してくると共に二つの第１の側部構造体１１の間に位置する第１の中間構造体１２とを有する。また、第１の中間構造体１２は互いに対応して設けられる二つの第１の延伸部１２０を有する。各第１の延伸部１２０は、第１の基礎部１２０Ａと、第１の基礎部１２０Ａから内側に突出する二つの第１の増厚部１２０Ｂとを有する。従って、本考案は、第１の増厚部１２０Ｂの設計により、第１の延伸部１２０の全体構造の強度を向上し、さらに金型コアモジュールＭの使用寿命を延長することができ、摺動子３の製造歩留まりを効率的に向上でき、摺動子３の作製コストも削減できる。
【０００５】
以上のように、一方の第１の延伸部１２０の二つの第１の増厚部１２０Ｂは、他方の第１の延伸部１２０の二つの第１の増厚部１２０Ｂとそれぞれ対向する。また、第１の基礎部１２０Ａは、第１の基礎厚さＴ１１を有する。第１の増厚部１２０Ｂは、第１の増厚厚さＴ１２を有する。第１の増厚部１２０Ｂの第１の増厚厚さＴ１２は第１の基礎部１２０Ａの第１の基礎厚さＴ１１よりも大きい。即ち、各第１の延伸部１２０は異なる厚さを有する。また、第１の中間構造体１２は、二つの第１の延伸部１２０の間に形成される第１のメイン収容空間Ｒ１０を有する。各第１の延伸部１２０は、二つの対応する第１の増厚部１２０Ｂの間に形成される第１のサブ収容空間Ｒ１１を有する。第１のメイン収容空間Ｒ１０が二つの第１の延伸部１２０の二つの第１のサブ収容空間Ｒ１１の間に連通される。
【０００６】
なお、図３及び図４に示すように、第２の金型コア構造２は、第２の基体２０と、第２の基体２０から延在してくると共に互いに対応する二つの第２の側部構造体２１と、第２の基体２０から延在してくると共に二つの第２の側部構造体２１の間に位置する第２の中間構造体２２とを有する。また、第２の中間構造体２２は、二つの互いに対応して設けられる第２の延伸部２２０を有する。各第２の延伸部２２０は、第２の基礎部２２０Ａと、第２の基礎部２２０Ａから内側に突出する二つの第２の増厚部２２０Ｂとを有する。従って、本考案は、第２の増厚部２２０Ｂの設計により、第２の延伸部２２０の全体構造の強度を向上し、さらに金型コアモジュールＭの使用寿命を延長することができ、摺動子３の製造歩留まりを効率的に向上でき、摺動子３の作製コストも削減できる。
【０００７】
以上のように、一方の第２の延伸部２２０の二つの第２の増厚部２２０Ｂは、他方の第２の延伸部２２０の二つの第２の増厚部２２０Ｂとそれぞれ対向する。また、第２の基礎部２２０Ａは、第２の基礎厚さＴ２１を有する。第２の増厚部２２０Ｂは、第２の増厚厚さＴ２２を有する。第２の増厚部２２０Ｂの第２の増厚厚さＴ２２は第２の基礎部２２０Ａの第２の基礎厚さＴ２１よりも大きい。即ち、各第２の延伸部２２０は異なる厚さを有する。また、第２の中間構造体２２は、二つの第２の延伸部２２０の間に形成される第２のメイン収容空間Ｒ２０を有する。各第２の延伸部２２０は、二つの対応する第２の増厚部２２０Ｂの間に形成される第２のサブ収容空間Ｒ２１を有する。第２のメイン収容空間Ｒ２０は、第１のメイン収容空間Ｒ１０に連通されると共に、二つの第２の延伸部２２０の二つの第２のサブ収容空間Ｒ２１の間に連通される。二つの第２の延伸部２２０の二つの第２のサブ収容空間Ｒ２１は、二つの第１の延伸部１２０の二つの第１のサブ収容空間Ｒ１１にそれぞれ連通される。
【０００８】
なお、図１、図３及び図５乃至図８に示すように、第１の中間構造体１２の二つの第１の延伸部１２０は、第２の中間構造体２２の二つの第２の延伸部２２０にそれぞれ接続される。台座部３２の一部の外形は、第１の金型コア構造１の第１の中間構造体１２の二つの第１の延伸部１２０及び第２の金型コア構造２の第２の中間構造体２２の二つの第２の延伸部２２０により相互に係合して形成される。
【０００９】
さらには、台座部３２のメイン本体３２１の外形が第１のメイン収容空間Ｒ１０及び第２のメイン収容空間Ｒ２０により相互に係合して形成されるので、台座部３２のメイン本体３２１は第１のメイン収容空間Ｒ１０及び第２のメイン収容空間Ｒ２０に対応する。
【００１０】
さらには、各テープ状のリブ３２２の外形が、対応する第１の延伸部１２０の第１のサブ収容空間Ｒ１１及び対応する第２の延伸部２２０の第２のサブ収容空間Ｒ２１により相互に係合して形成されるので、各テープ状のリブ３２２は、対応する第１の延伸部１２０の第１のサブ収容空間Ｒ１１及び対応する第２の延伸部２２０の第２のサブ収容空間Ｒ２１に対応する。
【００１１】
さらには、各凹陥空間３２３の形状が、対応する第１の延伸部１２０の二つの第１の増厚部１２０Ｂ及び対応する第２の延伸部２２０の二つの第２の増厚部２２０Ｂにより相互に係合して形成されるので、各凹陥空間３２３は、対応する第１の延伸部１２０の二つの第１の増厚部１２０Ｂ及び対応する第２の延伸部２２０の二つの第２の増厚部２２０Ｂに対応する。
【００１２】
それにより、図９乃至図１２に示すように、本考案は、摺動子３と、フック部材４と、引張部材５とを備えるスライダー組合せ構造Ｚを提供する。
まず、図９乃至図１１に示すように、摺動子３は、ベース部３０と、二つの側止め部３１と、台座部３２とを有する。また、二つの側止め部３１は、ベース部３０の二つの反対側端から上方にそれぞれ延びており、相互に対応すると共にベース部３０の先端３０１にそれぞれ接続される。なお、台座部３２は、ベース部３０の後端３０２に接続されるようにベース部３０に設けられると共に、二つの側止め部３１の間に位置する貫通式位置決め開口３２０（図８に示すように）を有する。また、台座部３２は、ベース部３０の後端３０２に接続されるようにベース部３０に設けられるメイン本体３２１と、メイン本体３２１の二つの反対側端にそれぞれ設けられる二つのテープ状のリブ３２２と、二つのテープ状のリブ３２２にそれぞれ接続される二つの凹陥空間３２３とを備える。なお、メイン本体３２１の二つの反対側端には二つの凹陥空間３２３が形成されるので、摺動子３の作製コストを削減できる。
【００１３】
なお、図８及び図１２に示すように、フック部材４が台座部３２に移動可能に設けられる。フック部材４の末端には、貫通式位置決め開口３２０を移動可能に挿通する位置決め部４０を有する。また、引張部材５がフック部材４と移動可能に相互に係合される。
【００１４】
さらには、図９乃至図１１に示すように、摺動子３のベース部３０の内面３００に微凸領域３０３が突出される。微凸領域３０３は、台座部３２のメイン本体３２１に接続されると共に、台座部３２のメイン本体３２１を部分的に取り囲む。台座部３２の二つの凹陥空間３２３及びベース部３０の微凸領域３０３はいずれもＵ字型である。また、台座部３２は、メイン本体３２１に設けられると共にベース部３０と互いに分離される受け座３２４と、微凸領域３０３と受け座３２４との間に形成される二つの窪み空間Ｒ３０とを備える。二つの窪み空間Ｒ３０がそれぞれ二つの凹陥空間３２３に連通される。二つのテープ状のリブ３２２が二つの窪み空間Ｒ３０にそれぞれ完全に収容される。
【００１５】
以上のように、図１３を参照する。台座部３２のメイン本体３２１の外形及び各テープ状のリブ３２２の外形は、第１の金型コア構造１の第１の中間構造体１２の二つの第１の延伸部１２０及び第２の金型コア構造２の第２の中間構造体２２の二つの第２の延伸部２２０により相互に係合して形成される。第１の金型コア構造１では、各第１の延伸部１２０は、第１の基礎部１２０Ａと、二つの第１の増厚部１２０Ｂとを有する。第１の増厚部１２０Ｂの第１の増厚厚さＴ１２は第１の基礎部１２０Ａの第１の基礎厚さＴ１１よりも大きい。第２の金型コア構造２では、各第２の延伸部２２０は、第２の基礎部２２０Ａと、二つの第２の増厚部２２０Ｂとを有する。第２の増厚部２２０Ｂの第２の増厚厚さＴ２２は第２の基礎部２２０Ａの第２の基礎厚さＴ２１よりも大きい。従って、本考案は、第１の増厚部１２０Ｂ及び第２の増厚部２２０Ｂの設計により、それぞれ第１の延伸部１２０及び第２の延伸部２２０の全体構造の強度を向上し、さらに金型コアモジュールＭの使用寿命を延長することができ、摺動子３の製造歩留まりを効率的に向上でき、摺動子３の作製コストも削減できる。
【００１６】
さらには、図１４乃至図１６を参照する。図１４乃至図１６と図１３との最大の相違点は、下記の二点にある。第１の相違点として、図１４乃至図１６において、各第１の延伸部１２０は、第１の基礎部１２０Ａと、第１の基礎部１２０Ａから内側に突出する少なくとも一つの第１の増厚部１２０Ｂとを有することにある。第２の相違点として、各第２の延伸部２２０は、第２の基礎部２２０Ａと、第２の基礎部２２０Ａから内側に突出する少なくとも一つの第２の増厚部２２０Ｂを有することにある。また、一方の第１の延伸部１２０の少なくとも一つの第１の増厚部１２０Ｂは他方の第１の延伸部１２０の少なくとも一つの第１の増厚部１２０Ｂと対向する。一方の第２の延伸部２２０の少なくとも一つの第２の増厚部２２０Ｂは他方の第２の延伸部２２０の少なくとも一つの第２の増厚部２２０Ｂと対向する。即ち、各第１の延伸部１２０は、第１の基礎部１２０Ａの最外側（図１４及び図１５に示すように）又は中間部（図１６に示すように）から内側に突出する第１の増厚部１２０Ｂを一つのみ設計してもよく、各第２の延伸部２２０は、第２の基礎部２２０Ａの最外側（図１４及び図１５に示すように）又は中間部（図１６に示すように）から内側に突出する第２の増厚部２２０Ｂを一つのみ設計してもよい。
［実施例の効果］
以上のように、本考案に係るスライダー組合せ構造及びその摺動子は、「台座部３２は、ベース部３０に設けられるメイン本体３２１と、それぞれメイン本体３２１の二つの反対側端にそれぞれ設けられる二つのテープ状のリブ３２２と、二つのテープ状のリブ３２２にそれぞれ接続される二つの凹陥空間３２３とを備える」という設計により、摺動子３の製造歩留まりを効率的に向上でき、摺動子３の作製コストを削減できる。
【００１７】
以上に開示された内容は、本考案の好ましい実施可能な実施例に過ぎず、本考案の実用新案登録請求の範囲を制限するものではない。本考案の明細書及び添付図面の内容に基づき為された等価な技術変形は、すべて本考案の実用新案登録請求の範囲に含まれるものである。
【符号の説明】
【００１８】
Ｍ    金型コアモジュール
１    第１の金型コア構造
１０    第１の基体
１１    第１の側部構造体
１２    第１の中間構造体
１２０    第１の延伸部
１２０Ａ    第１の基礎部
１２０Ｂ    第１の増厚部
Ｔ１１    第１の基礎厚さ
Ｔ１２    第１の増厚厚さ
Ｒ１０    第１のメイン収容空間
Ｒ１１    第１のサブ収容空間
２    第２の金型コア構造
２０    第２の基体
２１    第２の側部構造体
２２    第２の中間構造体
２２０    第２の延伸部
２２０Ａ    第２の基礎部
２２０Ｂ    第２の増厚部
Ｔ２１    第２の基礎厚さ
Ｔ２２    第２の増厚厚さ
Ｒ２０    第２のメイン収容空間
Ｒ２１    第２のサブ収容空間
Ｚ    スライダー組合せ構造
３０    摺動子
３    ベース部
３００    内面
３０１    先端
３０２    後端
３０３    微凸領域
３１    側止め部
３２    台座部
３２０    貫通式位置決め開口
３２１    メイン本体
３２２    テープ状のリブ
３２３    凹陥空間
３２４    受け座
Ｒ３０    窪み空間
４    フック部材
４０    位置決め部
５    引張部材
【図１】
0003210057.tif 000003
【図２】
0003210057.tif 000004
【図３】
0003210057.tif 000005
【図４】
0003210057.tif 000006
【図５】
0003210057.tif 000007
【図６】
0003210057.tif 000008
【図７】
0003210057.tif 000009
【図８】
0003210057.tif 000010
【図９】
0003210057.tif 000011
【図１０】
0003210057.tif 000012
【図１１】
0003210057.tif 000013
【図１２】
0003210057.tif 000014
【図１３】
0003210057.tif 000015
【図１４】
0003210057.tif 000016
【図１５】
0003210057.tif 000017
【図１６】
0003210057.tif 000018